(57)【要約】【課題】軽量で設置や移動がし易く、安価で安全、且つ操作が簡単であり、誰でもが取り扱い可能で撃退効果の有る有害獣撃退装置を提供する。【解決手段】上下方向に移動可能な落下部材である重りと、落下部材を確実に衝突面に落下衝突させるための移動をガイドするガイド部材と、該ガイド部材の下方側に衝突面を配設すると共に、該ガイド部材の上方側に、該落下部材を上方に保持する保持手段と、該保持手段の保持機能を解除するための解除手段を設け、解除手段の解除操作に起因して、前記落下部材を落下させて該衝突面に衝突させることにより、直接あるいは間接的に、音や匂いを発生させる。又衝突面あるいはガイド部材に音声発生装置を作動させるスイッチ部材を配置し、スイッチ入力により音声発生装置から音を発生させ効果的に有害な動物を撃退する。音や匂いの発生により、有害獣出没の阻止撃退をはかる。【選択図】  図１
2005151828.tif 000002
【特許請求の範囲】
【請求項１】
上下方向に移動可能な落下部材（２）と、該落下部材（２）の落下時に、該落下部材（２）の移動をガイドするガイド部材（３）を設け、該ガイド部材（３）の下方側に、該落下部材（２）が衝突する衝突面（４）を配設すると共に、該ガイド部材（３）の上方側に、該落下部材（２）を上方に保持する保持手段（５）と、該保持手段（５）の保持機能を解除する解除手段（６）を設け、解除手段（６）の解除操作に起因して、前記落下部材（２）を落下させて該衝突面（４）に衝突させることにより音を発生させることを特徴とする有害獣撃退装置。
【請求項２】
落下部材（２）に横方向の支え部材（２Ａ）を設け、該支え部材（２Ａ）をガイド部材（３）の側面に開設した縦溝状のピンガイド（３Ａ）に嵌合させて外側に突出させる形態となし、該支え部材（２Ａ）の先端側を該ガイド部材（３）の上方側に設けた横孔状ピンガイド（５A）と、横方向に移動自在とした引き抜き部材（５B）とからなる保持手段（５）とし、該引き抜き部材（５B）に、前記落下部材（２）の支え部材（２Ａ）を掛止め保持させたことを特徴とする請求項１記載の有害獣撃退装置。
【請求項３】
引き抜き部材（５B）に、有害獣の通過予定経路（２１）に横断させて仕掛けた網やロ−プ、センサ−等の阻害材（１８）を解除手段である索体（６）を通じて連接し、有害獣の通過又は接触に伴って該阻害材（１８）が動くことに因り索体（６）が引かれて該引き抜き部材（５B）が抜ける事に因り、保持手段（５）が解除され、落下部材（２）が落下して音を発生することを特徴とする請求項１若しくは２記載の有害獣撃退装置。
【請求項４】
ガイド部材（３）と衝突面（４）との間に間隙（１０）を設け、該衝突面（４）の上あるいは該落下部材下面（２B）に火薬部材（１３）を配置する構成にしたことを特徴とする請求項１若しくは２、３記載の有害獣撃退装置。
【請求項５】
ガイド部材（３）においては、支え部材（２A）の上下移動範囲のいずれかの位置に、又は衝突面（４）の位置に音声発生装置（１７）を作動させるスイッチ部材（１６）を配設したことを特徴とする請求項１若しくは２、３記載の有害獣撃退装置。
【請求項６】
ガイド部材（３）の複数組を隣設させ、解除手段（６）の解除操作に起因して落下する落下部材（２）の落下作動を感知する感知機構（７）と、該感知機構の感知結果に基づいて隣接するガイド部材の落下部材（２）を上方に保持する保持手段（８）の保持機能を解除する解除手段（９）を作動させる連繋機構を設け、複数の落下部材（２）を順次的に落下させて間欠的に音を発生させることを特徴とする請求項１若しくは２、３、４、５記載の有害獣撃退装置。
【請求項７】
ガイド部材（３）に設けたバーガイド（７C）に伝達バー（７A）を縦方向に移動自在に設け、該伝達バ−（７A）の下方に落下部材（２）の落下作動を感知する屈曲部（７B）を設け、該落下部材（２）に設けた支え部材（２Ａ）の落下移動軌跡線上に位置させ、該伝達バー（７A）の上方を他方のガイド部材（３）の落下部材（２）の落下を解除する解除部材（９）に連接したことを特徴とする請求項６記載の有害獣撃退装置。
【発明の詳細な説明】
【技術分野】
【０００１】
本発明は、有害獣の撃退を図る為に、直接あるいは間接的に、音や匂いを発生させる部材の、補助機能としての役割を担い、音や匂いの発生により、有害獣出没の阻止撃退を図るための有害獣撃退装置に関するものである。
【背景技術】
【０００２】
山間部や山に隣接する市街地などでは、有害獣（猪、猿、鹿）等の出没により、農作物は勿論のこと、場合によっては人に対しても被害が及ぶ昨今である。このためこれらの被害対策において従来の技術には、トタン柵、ネット柵、電気柵の設置、センサ−による超音波法（例えば特許文献１参照）、支柱を立てテグス等を張り動物が触れる事によって電気に因り爆発を誘導する方法（例えば特許文献２参照）、また、線香を利用して爆発を誘導する方法（例えば特許文献３参照）、等の防御策が考案開示されている。こういった技術は概ね農地の近く或は農地内に設置することを対象としている。
【０００３】
上記技術において、トタン柵や鉄柵の場合は、防御範囲も広く多大な労力と資材費を要するものであり、近年の研究により飛越可能な高さでもある。電気柵の場合は、害獣が昼間でも出没する事がある為に、昼夜の通電、及び電源確保が必要である。このために、仮に人が触れても感電の恐れがあり、人里近くでは子供たちの危険が増大する。又、特許文献１等のセンサ−による超音波法の場合は、既設の施設が前提であったり、機械的に複雑な機能を備えていたりする。こういった害獣撃退器は設置経費の面で、農作物との収支の面からも採算性が悪い。しかもこれらの工作物は、同一場所に恒久的設置となり、動物がその工作物に慣れ危険物との認識が薄れてくる。また、別例として特許文献２や特許文献３のような花火や爆竹を利用した例もあるが、点火発火式の場合や、他の花火飛翔式の場合、点火時や着地時に地面の乾燥や可燃物に因り発火原因となる可能性も有る。又特許文献２の様に電気に因り爆発を誘導する方法は、着火までに時間ロスが有る。爆発音が多いと音慣れや騒音効果となってしまう。これら装置を農地の近くに設置をした場合、害獣が好物を目前にしての進入は避けがたい、このような課題があった。
【特許文献１】特開２０００−３５０５４９号公報
【特許文献２】特開平０９−０９８７０８号公報
【特許文献３】特開平１１−０８９５０７号公報
【発明の開示】
【発明が解決しようとする課題】
【０００４】
解決しようとする課題は、有害獣を農作物から少しでも遠くで阻止撃退し、設置範囲も最小限に止める。軽量、操作が簡単で、移動設置も容易で設置場所を選ばず、定期不定期に関わらず場所移動が出来る。有害獣の出没時のみ、しかも害獣の目の前で作動し音や匂いを発生させる。農作物の被害防止の用途であり、感電事故や火災発生原因とならず、経費、労力とも簡易な物が望ましい。研究をして見ると、動物は農地等に出没する場合、農地の近くまでは習性上必ず獣道を通って来る。このような点に解決課題が有る。
【課題を解決するための手段】
【０００５】
本発明は第一に、上下方向に移動可能な落下部材（２）と、該落下部材（２）の落下時に、該落下部材（２）の移動をガイドするガイド部材（３）を設け、該ガイド部材（３）の下方側に、該落下部材（２）が衝突する衝突面（４）を配設すると共に、該ガイド部材（３）の上方側に、該落下部材（２）を上方に保持する保持手段（５）と、該保持手段（５）の保持機能を解除する解除手段（６）を設け、解除手段（６）の解除操作に起因して、前記落下部材（２）を落下させて該衝突面（４）に衝突させることにより音を発生させ有害な動物を撃退する。
【０００６】
第二に、上記落下部材（２）に横方向の支え部材（２Ａ）を設け、該支え部材（２Ａ）をガイド部材（３）の側面に開設した縦溝状のピンガイド（３Ａ）に嵌合させて外側に突出させる形態となし、該支え部材（２Ａ）の先端側を該ガイド部材（３）の上方側に設けた横孔状ピンガイド（５A）と、横方向に移動自在とした引き抜き部材（５B）とからなる保持手段（５）とし、該引き抜き部材（５B）に、前記落下部材（２）の支え部材（２Ａ）を掛止め保持させる簡易な構造にし、少ない外力に因り作動させる。
【０００７】
第三に、上記引き抜き部材（５B）に、有害獣の通過予定経路（２１）に横断させて仕掛けた網やロ−プ、センサ−等の阻害材（１８）を、解除手段である索体（６）を通じて連接し、有害獣の通過や接触に伴って該阻害材（１８）が動くことに因り索体（６）が引かれて該引き抜き部材（５B）が抜け、保持手段（５）が解除され、落下部材（２）が落下して音を発生させ有害な動物を撃退する。
【０００８】
第四に、ガイド部材（３）と衝突面（４）との間に間隙（１０）を設け、該衝突面（４）の上あるいは該落下部材（２B）に火薬部材（１３）を配置することに因り、動物の嫌悪する爆発音や匂いを発生させ効果的に有害な動物を撃退する。
【０００９】
第五に、ガイド部材（３）においては、落下部材（２）に付属する支え部材（２A）が上下移動する範囲のいずれかの位置に、又は衝突面（４）に音声発生装置（１７）を作動させるスイッチ部材（１６）を配置し、スイッチ入力により音声発生装置（１７）から音を発生させ効果的に有害な動物を撃退する。
【００１０】
第六に、ガイド部材（３）の複数組を隣設させ、解除手段（６）の解除操作に起因して落下する落下部材（２）の落下作動を感知する感知機構（７）と、該感知機構の感知結果に基づいて隣接するガイド部材の落下部材（２）を上方に保持する保持手段（８）の保持機能を解除する解除手段（９）を作動させる連繋機構を設ける事に因り、複数の落下部材（２）を順次的に落下させて間欠的な音も発生させ、動物の音慣れを防ぎ効果的に有害な動物を撃退する。
【００１１】
第七に、ガイド部材（３）に設けたバーガイド（７C）に伝達バー（７A）を縦方向に移動自在に設け、該伝達バ−（７A）の下方に落下部材（２）の落下作動を感知する屈曲部（７B）を設け、該落下部材（２）に設けた支え部材（２Ａ）の落下移動軌跡線上に位置させ、該伝達バー（７A）の上方を他方のガイド部材（３）の落下部材（２）の落下を解除する解除部材（９）に連接させ連繋機構とし、複数の音の発生を促し、変化の有る音に因り有害な動物を撃退する。
【発明の効果】
【００１２】
上記手段に因り構成された本有害獣撃退装置は、軽量で操作が簡単であり、老若男女を問わず設置や管理が容易である。有害獣が獣道を通って来る習性を利用する事で、有害獣出没時のみだけ作動し、不要な音が発生しないため有害獣が音慣れしない。地上樹上を問わずに簡単に設置場所の変更が出来、設置場所を選ばない。通電施設による感電や、花火発火等による間接的な火災などの人的事故が無い。有害獣阻止の為に必要最小限の施設設置が可能な為、資材費を始め経費が安価で済む。
【００１３】
上記要素に因り実施検証結果、動物の習性から、嫌な音や嫌な臭いを経験した場所には暫くは近寄らないため、移設移動が容易可能な本有害獣撃退装置を、ピンポイントで定期不定期に関わらず場所の変更をすることにより、有害獣に対する撃退効果が大きい。
【発明を実施するための最良の形態】
【００１４】
先ずは、本発明に係る有害獣撃退装置の第一実施形態個々の説明を、図１〜図１２に基づきしていく。図１は組み立て斜視図である。
【００１５】
図２は落下部材としての重り（２）の斜視図である。該重り（２）は、衝突面（４）に落下到達時点で、音や匂いを発生させる手段、或は落下途中においても、音声発生装置のスイッチ（１６）入力の起因となるものであり、そのために保持手段（５）の地点から、衝突面（４）の間で其々の起因に相当する衝撃の確保ができる重さを有する。又、保持手段（５）の一部である支え部材（２A）を付属しており、多少の回転を伴う動きを考慮した形をしている。
【００１６】
図３はガイド部（３）の斜視図である。ガイド部（３）は、該重り（２）を迅速に落下させて衝突面（４）に誘導する手段であり、重り（２）に付属している支え部材としての支えピン（２A）の落下空間である縦溝状のピンガイド（３A）を有する。尚、ガイド部は重り（２）が定められた衝突面（４）に確実に誘導できるものであれば形状材質は問わない。又該支えピン（２A）の上下移動範囲のいずれかの位置に図７の様に音声発生装置（１７）を作動させるスイッチ部材（１６）を配設する事も出来る。この時スイッチA型（１６A）の取り付けにおいてスイッチ入力前は重り（２）の落下時の力を支えピン（２A）を通して受けられる様に、又スイッチ入力後は重り（２）の落下時の力を支えピン（２A）を通して阻害しないように縦溝状のピンガイド（３A）に対し傾斜させて設置する。スイッチB型（１６B）の取り付けは、スイッチ入力を支えピン（２A）に因り保持するため支えピン（２A）の最下部到達地点に設ける。
【００１７】
図４は衝突面（４）及び接合面（１３）を有する部材の斜視図である。衝突面（４）及び接合面（１３）を有する部材は、地面や樹上に支柱などを利用して固定するための部材でもある。又、接合面（１３）と、ガイド部（３）の接合は、重りの下面（２B）、あるいは衝突面（４）の少なくともいずれかに、火薬部材（１３）又は音声発生装置のスイッチ（１６）の設置、及び発生した音の拡散を図るため、各装置の装着可能な間隙（１０）を設ける。
【００１８】
図５は保持手段（５）の斜視図である。保持手段（５）は、横孔状ピンガイド（５A）、引抜き部材としての引き抜きピン（５B）、該重り（２）に付属している該支えピン（２A）から成っている。引き抜きピン（５B）をピンガイド（５A）に引き抜き側より差込み、ピンガイド（５A）の先に重り（２）に付属している支えピン（２A）を乗せて重り（２）を保持する。
【００１９】
図６は解除手段（６）の斜視図である。解除手段（６）は、保持手段（５）の一部にも成っている該引き抜きピン（５B）及び索体（６）とから成っている。索体（６）が引かれる事によって引き抜きピン（５B）が引かれ、保持手段（５）を解除する手法である。
【００２０】
先ずは本発明第一実施形態の作用を総合的に、図７乃至図１２を参照しながら説明をする。図７は本有害獣撃退装置（１）を先の尖った部材（１２）を地面に差し込むか、或は樹上に紐等で縛り付けて設置した後、重り（２）を保持手段（５）により保持した状態の正面図である。保持状態にセットする手順としては先ず支えピン（２A）を手にし、重り（２）を上にスライドさせる、上方に達したら引抜きピン（５B）を横孔状ピンガイド（５A）に差込み、支えピン（２A）を引抜きピン（５B）の上方に乗せ保持完了となる。図８は上記保持状態での重り（２）の位置断面図であり、図９は保持状態の正面拡大図である。
【００２１】
上記保持状態で本害獣撃退装置（１）を固定設置した後、伸縮の少ない網やロ−プ又はセンサ−等の阻害材（１８）を、山と農地、山と草地の境界等を考慮し有害獣の通過予定経路いわゆる獣道（２１）や出没範囲に横断させて仕掛け、A端を杭（１９）の設置や立木（２０）を利用して固定端とし、B端は索体（６）に適度な緊張を持たせて連結設置し、図９の正面拡大図のような保持状態になれば設置完了となる。阻害物において網を利用する場合、B端上部は伸縮性のある部材で固定しB端下部を索体（６）と連結する。
【００２２】
上記説明で設置した阻害材（１８）のA端とB端の間において、害獣が通過又は接触した時に阻害材（１８）が動く事に因り、A端は固定されているためB端が引かれる。B端には索体（６）を介して引抜きピン（５B）が連結設置されており引き抜きピン（５B）が抜ける、これによって重り（２）に付属する支えピン（２A）の保持が解かれ、重り（２）が落下する。
【００２３】
上記状態に因って解除された重り（２）は、ガイド部（３）に誘導され、衝突面（４）に落下し、音や匂いを発生させる手段、又は落下中に音声発生装置のスイッチ（１６）を作動させる起因となる。図１０は本害獣撃退装置（１）の重り（２）が解除手段（５）により解除され、衝突面（４）に衝突した状態の正面図である。図１１は保持手段（５）解除後の正面拡大図であり、図１２は保持解除後の重り（２）が衝突面（４）に衝突した状態の位置断面図である。
【００２４】
次に、本発明に係る有害獣撃退装置の第二実施形態個々の説明を図１３〜図２６に基づきしていく。図１３は組み立て斜視図である。
【００２５】
重り（２）は、前記第一実施形態の説明と同様の形態を有する。
【００２６】
図１４は２発目以降の複数組のガイド部（３）の斜視図である。ガイド部（３）は、１発目は、前記第一実施形態の説明と同様の形態を有するが、２発目以降の複数組は、２発目以降の保持解除手段（９）により押し出された支えピン（２A）を、確実に縦溝状のピンガイド（３A）に導くため、ガイド部（３）上部にストッパ−（１１）を持つ。又音声発生装置のスイッチ（１６）は２発目以降の複数組に設置は必要としない。
【００２７】
図１５は衝突面（４）接合面（１３）を有する部材の斜視図である。この部材は衝突面（４）接合面（１３）を各々複数有している。地面固定や接合面（１３）とガイド部（３）の接合位置については、前記第一実施形態の説明と同様の形態を有する。
【００２８】
図１６は２発目以降の複数組の保持手段（８）の斜視図である。保持手段（８）は、１発目と２発目以降の複数組とに分かれる。１発目は、前記第一実施形態の説明と同様の形態を有する。２発目以降の複数組の場合、本図の様に支えピン（２A）をガイド部（３）上部に乗せて保持する。
【００２９】
図１７は２発目以降の複数組の感知機構（７）と解除手段（９）との連繋を示す斜視図である。解除手段は、１発目（６）と２発目以降の複数組（９）とに分かれる。１発目は、前記第一実施形態の説明と同様の形態を有する。２発目以降の複数組の場合、図１７の解除手段（９）のように、重り（２）の落下を感知する屈曲部（７B）を持った伝達バ−（７A）とバ−ガイド（７C）とからなる感知機構（７）及びガイド部材（３）の上方に設けた解除板（９A）解除板保持板（９B）支点（９C）からなる解除手段（９）で構成される。
【００３０】
次に、本発明に係る有害獣撃退装置の第二実施形態の作用を総合的に、図１８乃至図２６を参照しながら説明をする。図１８は本害獣撃退器を前記第一実施形態と同様に地面や樹上に設置した後、１発目は重り（２）を保持手段（５）により保持し、２発目以降の複数組の重り（２）を保持手段（８）により保持した状態の正面図である。保持状態にセットする手順としては先ず前記第一実施形態と同様のセットをし、次に２発目以降の複数組個々のセットを行う。複数組の支えピン（２A）を手にし、重り（２）を上にスライドさせる、上方に達したら解除板（９A）を移動させ支えピン（２A）をガイド部材（３）の上方に乗せ保持完了となる。図１９は上記保持状態での重り（２）の位置断面図であり、図２０は保持状態の正面拡大図である。
【００３１】
上記保持状態で前記第一実施形態と同様に阻害材（１８）を設置し本害獣撃退器（１）が図２０正面拡大図のような保持状態になれば設置完了となる。
【００３２】
保持解除手段は、１発目（６）と２発目以降の複数組（９）とに分かれる。１発目は、前記第一実施形態の説明と同様である。２発目以降の複数組は、前解除手段（６）或は（９）に因り解除された重り（２）が、衝突面（４）に衝突する直前から、重り（２）に付属している支えピン（２A）に因り、感知機構（７）のバ−ガイド（７C）に支持され、所定の位置にセットされている伝達バ−（７A）の下部屈曲部（７B）を、図２３乃至２４の様に押し下げながら、衝突面（４）に衝突する。この動きにより、感知機構（７）の伝達バ−が下に押し下げられる。それと同時に図２３乃至２４の様に上部解除板（９A）も引き下げられる。解除板（９A）は支点（９C）を持っており、引き下げられた反対側は逆に上方に上がる事となる。この梃子の運動により、解除板（９A）の先端形状を斜めにすることにより、重り（２）に付属している支えピン（２A）を前に押し出す力を生み出す、この事を利用して、図２０拡大図のようにガイド部（３）上部に支えピン（２A）で保持されている保持手段（８）を解除する。図２１は、本有害獣撃退装置（１）の、１発目重り（２）が解除手段（６）により解除され衝突面（４）に衝突した状態の正面図である。図２２は、解除手段（５）により解除された重り（２）が、衝突面（４）に衝突した状態の位置断面図である。図２３乃至２４は、これら一連の動作による感知機構（７）及び解除手段（９）の動きを示す正面拡大図である。図２５は、複数の解除手段が解除され各々重り（２）が衝突面（４）に衝突した状態を示す正面図であり、図２６は上記状態での重り（２）の位置断面図である。
【００３３】
本有害獣撃退装置の効果及び設置状態の管理を検証する。試作実験に因り有害獣は、習性上一度経験した嫌な音、嫌な臭いのする場所には、暫くは近寄らない傾向であることが確認できた。この事は、農作物耕作を考える時に耕作者は、水田の場合１日に最低でも１回は水管理のために見回る。又、畑の場合は家の周りに有り、やはり収穫や管理のため毎日のように出向く。従ってその土地あるいはその土地近くにある本有害獣撃退装置を１日に最低１回は設置状態の確認管理が出来る事となる。
【００３４】
本有害獣撃退装置は、起動のために伸縮性の少ない網、ロ−プ又はセンサ−等の阻害物を使用する。用途により阻害物の長さや高さ調整も可能で、高所からの害獣も撃退できる。色々な組み合わせにより有害獣（猪、猿、鹿等）の目的別の撃退が可能となる。又、索体の分岐用支柱（１９）を利用することで単一方向だけでなく広角に防御対策範囲が広がる
【００３５】
本有害獣撃退装置は、害獣出没時のみ作動し害獣が音慣れをする事が少なく、前触れも無く進行方向の目前で音が発せられ、同時に音声も聞こえる事に因り害獣の恐怖感は多大である。又音によって害獣出没が確認でき出没場所へ行き追い払うことも出来る。
【００３６】
本有害獣撃退装置によって、更に確実に音や匂いを発生させる事を目的として、図２７に示すように重りの下部（２B）或は衝突面（４）のいずれかに火薬部材（１３）を、ナイロン、ビニ−ルフィルム等の防水部材（１５）で包み込み接着部材（１４）で貼り付ける。防水部材で保護することに因り湿気に因る不発を回避できる。火薬部材（１３）は瞬時の爆発であり、一箇所に継続的な熱を与える事が無く発火原因となることも無い。
【００３７】
本発明に係る有害獣撃退装置の効果を検証してみる。音は、害獣出没時に鳴る音のみであり、騒音の煩わしさが無い、又音によって害獣出没の確認が出来、現地へ出向く事もできる。安全面は、電流のように触れて危険な状態に無く、設置場所が網やロ−プにより確認が出来る為人家の近くの設置でも安心できる。又火災の要因と成る事もない。経費は、必要最小限の施設設置が可能な為、資材費を始め経費が安価で済む。以上の様な事柄から、有害獣は、思いも因らぬ音と匂いにより驚く度合いが大きく撃退の効果が大きい。また装置が小型であるので、移動簡単、軽量、設置手間や資材の経費節減、安全性を兼ね備えた発明である。
【図面の簡単な説明】
【００３８】
【図１】本発明に係る第一実施形態の有害獣撃退装置の斜視図である。
【図２】落下部材の斜視図である。
【図３】第一実施形態のガイド部材の斜視図である。
【図４】第一実施形態の衝突面を示す要部の斜視図である。
【図５】第一実施形態の保持手段を示す要部の斜視図である。
【図６】第一実施形態の解除手段の作動を示す説明図である。
【図７】第一実施形態の有害獣撃退器の全体を示す正面図である。
【図８】第一実施形態のガイド部材と落下部材の関係を示す要部断面図である。
【図９】第一実施形態の落下部材の保持手段を示す要部拡大正面図である。
【図１０】第一実施形態の落下部材が落下し衝突面に衝突した状態を示す説明図である。
【図１１】第一実施形態の解除手段の解除状態要部を示す説明図である。
【図１２】落下部材の落下状態を示す要部の説明図である。
【図１３】本発明に係る第二実施形態の有害獣撃退装置の斜視図である。
【図１４】第二実施形態のガイド部材の斜視図である。
【図１５】第二実施形態の衝突面を示す要部の斜視図である。
【図１６】第二実施形態の解除手段を示す要部の斜視図である。
【図１７】第二実施形態の解除手段の連繋状態を示す斜視図である。
【図１８】第二実施形態の有害獣撃退装置の全体を示す正面図である。
【図１９】ガイド部材と落下部材の関係を示す要部拡大断面図である。
【図２０】落下部材の保持手段を示す要部拡大正面図である。
【図２１】落下部材が落下して衝突面に衝突した状態を示す説明図である。
【図２２】落下部材の落下状態を示す要部の説明図である。
【図２３】感知機構及び解除手段の作動待機状態を示す要部の説明図である。
【図２４】感知機構及び解除手段の作動状態を示す要部の説明図である。
【図２５】全落下部材が落下して衝突面に衝突した状態を示す説明図である。
【図２６】全落下部材の落下状態を示す要部の断面図である。
【図２７】火薬部材の設置を示す要部の拡大図である。
【図２８】スイッチの取付け形態を示す要部の拡大図である。
【図２９】センサ−感知による取付け形態を示す要部の拡大図である。
【図３０】有害獣撃退装置を仕掛けた状態を示す平面説明図である。
【図３１】有害獣撃退装置を仕掛けた状態を示す正面説明図である。
【符号の説明】
【００３９】
２      落下部材
２A     支え部材
３      ガイド部材
３A     縦溝状ピンガイド
４      衝突面
５A     横穴状ピンガイド
５B     引抜き部材
６      索体
７A     伝達バ−
９A     解除版
11      ストッパ−
【図１】
2005151828.tif 000003
【図２】
2005151828.tif 000004
【図３】
2005151828.tif 000005
【図４】
2005151828.tif 000006
【図５】
2005151828.tif 000007
【図６】
2005151828.tif 000008
【図７】
2005151828.tif 000009
【図８】
2005151828.tif 000010
【図９】
2005151828.tif 000011
【図１０】
2005151828.tif 000012
【図１１】
2005151828.tif 000013
【図１２】
2005151828.tif 000014
【図１３】
2005151828.tif 000015
【図１４】
2005151828.tif 000016
【図１５】
2005151828.tif 000017
【図１６】
2005151828.tif 000018
【図１７】
2005151828.tif 000019
【図１８】
2005151828.tif 000020
【図１９】
2005151828.tif 000021
【図２０】
2005151828.tif 000022
【図２１】
2005151828.tif 000023
【図２２】
2005151828.tif 000024
【図２３】
2005151828.tif 000025
【図２４】
2005151828.tif 000026
【図２５】
2005151828.tif 000027
【図２６】
2005151828.tif 000028
【図２７】
2005151828.tif 000029
【図２８】
2005151828.tif 000030
【図２９】
2005151828.tif 000031
【図３０】
2005151828.tif 000032
【図３１】
2005151828.tif 000033